(57)【要約】【課題】ボタン操作によりロック解除可能な携帯式記憶装置。【解決手段】携帯式記憶装置１は、メモリー１３、複数ボタンユニット１１、電源ユニット１５、主端末２に接続するための伝送インターフェース１４を設けてなり、主端末と接続すると、該記憶装置はボタンによる信号入力を要求し、これに対して該複数ボタンユニットからの入力信号をマイクロプロセッサーへ伝達し、マイクロプロセッサーはメモリーに対するデータ通信のロック及びロック解除を制御し、該メモリーのロック解除後、複数ボタンユニットは対応する入力信号の出力を継続することを可能とし、マイクロプロセッサーは複数ボタンユニットに対応する入力信号をキーボードに対応する入力信号へ変換し、ボタン信号を主端末へ伝達し、主端末は対応する文字及び動作の出力する。【選択図】図１
0003118162.tif 000002
【実用新案登録請求の範囲】
【請求項１】
メモリー、マイクロプロセッサー、複数ボタン入力ユニット、及び主端末に対するデータ送受信インターフェースからなり、
主端末との接続開始に際して、
マイクロプロセッサーはメモリーに対するデータ通信のロック及びロック解除を制御して、複数ボタン入力ユニットからの信号入力により該メモリーのロック解除後、複数ボタンユニットが対応する入力信号の出力を継続することを可能とし、さらにマイクロプロセッサーは複数ボタンユニットによる入力信号をキーボードに対応する入力信号へ変換し、ボタン入力信号を主端末へ伝達することを特徴とした、携帯式記憶装置。
【請求項２】
前記インターフェイスは、ＩＥＥＥ１３９４，ＵＳＢ，ＳＡＴＡ，ＩＤＥ、またはＳＣＳＩなどの有線インターフェイスによるものであり、更に赤外線などによる無線インターフェイスによるものであることを特徴とした、請求項１に記載の携帯式記憶装置。
【請求項３】
前記複数ボタン入力ユニットはプッシュボタンスイッチ、マイクロスイッチ、センサースイッチ、タッチスイッチ、低圧電気スイッチ、バッテリースイッチ、または機械式スイッチであることを特徴とした、請求項１に記載の携帯式記憶装置。
【請求項４】
前記メモリーは、ＥＲＯＭ、ＥＥＲＯＭ、ＥＰＲＯＭ、ＥＥＰＲＯＭ、ＦＬＡＳＨ、ＡＮＤ−ＦＬＡＳＨ、ＮＡＮＤ−ＦＬＡＳＨ、ＮＯＲ−ＦＬＡＳＨまたはＨＤＤであることを特徴とした、請求項１に記載の携帯式記憶装置。
【請求項５】
前記メモリー内部には自動実行及び主端末に駐在が可能な制御プログラムを設けてなり、制御プログラムは複数ボタンユニットに出力に対応する入力信号の探索及び受信を可能とし、複数ボタンユニットに対応する入力信号をキーボードに対応する信号へ変換可能としたことを特徴とした、請求項１に記載の携帯式記憶装置。
【考案の詳細な説明】
【技術分野】
【０００１】
本考案は、ボタン入力装置を備えた携帯式記憶装置に関するものであり、複数ボタンユニットを設けてなり、キーボード入力信号を出力可能であるとした携帯式記憶装置を提供する。
【背景技術】
【０００２】
記憶媒体技術の急速な進歩に伴い、メモリーカードと携帯式記憶装置の容量は向上し、特に携帯式記憶装置は、学生、社会人等が就学、就業時に不可欠なツールとなり、そのサイズが小さく、容量が大きく、転送速度が速い携帯可能な記憶装置は、現在ファイル交換ファイル資料のバックアップ時に最も常用される手段になっている。
【０００３】
電子機器の軽薄、短小方向への発展に伴い、体積が小さいという状況から使用者は非常に紛失し易く、それにより他人に保存データが流出する可能性があり、もしも資料が相当に重要なものである場合には、使用者に莫大な損害を負わせることになり、其の為、関係する業者は使用者にパスワードを利用させ携帯式記憶装置内の保存データを保護することにより、使用者が携帯式記憶装置を紛失時に、データ流出の不安を解消するようにしている。
【０００４】
公知の携帯式記憶装置は、簡易なパスワードの利用を使用者に提供し、数字ボタン及び字母ボタン等のボタン入力装置を設けてなり、携帯式記憶装置と接続する主端末がパソコン又はノートパソコンの場合、使用者は複数ボタンユニットでパスワードを入力する必要があり、携帯式記憶装置のロックを解除することにより、内部のデータが読み取り可能となる。
【０００５】
しかし、これらの複数ボタンユニットはパスワードを入力完了後は、格別の用途はなく、複数ボタンユニットを使用することのなんらの利点もない。
【特許文献１】特開２００２-６４６２１号公報
【考案の開示】
【考案が解決しようとする課題】
【０００６】
上述の公知技術の問題を解決する為、本考案では、提供する携帯記憶装置が、インターフェイスを介し、主端末とのデータ転送を進行し、複数ボタンユニットにて操作時に発生する入力信号をマイクロプロセッサーへ伝達し、マイクロプロセッサーによりメモリーのロックを解除し、メモリーのロック解除完了後、複数ボタンユニットがプッシュボタン方式により対応の信号を入力すると共に、マイクロプロセッサーへ伝達し、マイクロプロセッサーにて入力信号を対応するキーボード信号へ変換し、インターフェイスを介し信号を主端末へ伝達し、主端末がキーボードと同型態の信号を受信することを可能とし、対応する文字表示及び動作の実行をなし、複数ボタンユニットの使用効果を向上することを目的とする。
【０００７】
本考案では、提供するメモリー内の制御プログラムが、メモリーのロックを解除完了後、制御プログラムが自動実行並びに主端末に駐在可能とし、更に制御プログラムは複数ボタンユニットが発生する対応信号の受信及び探索を可能とし、ボタン入力信号を対応するキーボード信号へ変換し、主端末で対応する文字の表示及び動作を実行させ、複数ボタンユニットの使用効率を向上することを目的とする。
【課題を解決するための手段】
【０００８】
上述の目的を達成するため、本考案の携帯式記憶装置は、特徴として、メモリーを設けてなり、該メモリーとマイクロプロセッサーを電気的に接続し、該マイクロプロセッサーはインターフェイスと複数ボタンユニットを電気的に分離して接続するように設けてなり、該インターフェイスは主端末と接続してデータ送信を可能とし、該複数ボタンユニットは対応する入力信号を出力すると共にマイクロプロセッサーへ伝達し、マイクロプロセッサーはメモリーに対するデータ通信のロック及びロック解除を制御し、該メモリーのロック解除後、複数ボタンユニットが対応する入力信号の出力を継続することを可能とし、マイクロプロセッサーは複数ボタンユニットに対応する入力信号をキーボードに対応する入力信号へ変換し、ボタン信号を主端末へ伝達し、主端末は対応する文字及び動作の出力する。
【考案の効果】
【０００９】
本考案の携帯式記憶装置１は、ボタン１１によりロック解除の完了後、ボタン１１は継続して信号入力が可能であり、入力信号はキーボード信号へ変換され主端末２へ伝達され、ボタン１１はキーボード入力装置となることが可能であり、文字入力及びキー操作の入力を進行可能であり、ボタン１１の功能の再利用を達成する。
ハードウェア（マイクロプロセッサー１２）とソフトウェア（制御プログラム１３１）の利用によりボタン１１はキーボード入力装置となることが可能であり、ボタン１１はキー入力の功能を達成する。
【考案を実施するための最良の形態】
【００１０】
上述の目的及び効果を達成する為、本考案の技術的手段及び構造は、以下、図に示す実施例に従い其の特徴と功能を詳細に説明する。
本考案の工程図である図１に示すように、携帯式記憶装置１は複数ボタンユニット１１、マイクロプロセッサー１２、メモリー１３、インターフェイス１４及び電源ユニット１５から構成され、
【００１１】
該複数ボタンユニット１１は、押下したボタンに対応する入力信号を発生すると共に、入力信号を伝達し、そのボタンユニットは、プッシュボタンスイッチ、マイクロスイッチ、センサースイッチ、タッチスイッチ、低圧電気スイッチ、バッテリースイッチ、及び機械式スイッチにてなることが可能である。
【００１２】
該マイクロプロセッサー１２は、上記の入力信号を受信した後、ロック解除可否の判断を実施し、ロック解除処理の後、複数ボタンユニット１１に対応する輸入信号を対応するキーボードのボタン信号へ変換し伝達する。
【００１３】
データ保存の為に用いられる該メモリー１３は、マイクロプロセッサー１２によるロック解除可否の判断処理実施にてロック解除がなされない限り、メモリー１３は読み取りができず、言い換えれば、ロック解除後に、メモリー１３は読み取り及び書き込み可能な状態になり、更に、メモリー１３は電気的制御命令読み取り専用メモリー（Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ、略称ＥＲＯＭ）、電気的消去可能読み取り専用メモリー（Ｅｌｅｃｔｒｉｃａｌｌｙ  Ｅｒａｓａｂｌｅ  Ｒｅａｄ  Ｏｎｌｙ  Ｍｅｍｏｒｙ、略称ＥＥＲＯＭ）、消去可能制御命令読み取り専用メモリー（Ｅｒａｓａｂｌｅ  Ｐｒｏｇｒａｍｍａｂｌｅ  Ｒｅａｄ  Ｏｎｌｙ  Ｍｅｍｏｒｙ、略称ＥＰＲＯＭ）、電気的消去可能制御命令読み取り専用メモリー（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、略称ＥＥＰＲＯＭ）、フラッシュメモリー（Ｆｌａｓｈ  Ｍｅｍｏｒｙ略称ＦＬＡＳＨ）、ＡＮＤ型フラッシュメモリー（ＡＮＤ−Ｆｌａｓｈ  Ｍｅｍｏｒｙ）、ＯＲ型フラッシュメモリー（ＯＲ−Ｆｌａｓｈ  Ｍｅｍｏｒｙ）、ＮＡＮＤ型フラッシュメモリー（ＮＡＮＤ−Ｆｌａｓｈ  Ｍｅｍｏｒｙ）及びハードディスクドライブ（Ｈａｒｄ  Ｄｉｓｋ  Ｄｒｉｖｅ）にてなることができる。
【００１４】
マイクロプロセッサー１２と主端末２の間には相互にデータ転送するインターフェイス１４が設けられ、該インターフェイス１４は有線接続転送及び無線転送の何れでも良く、無線転送使用時の無線信号転送規格は、赤外線、ＺｉｇＢｅｅ、及びＢｌｕｅＴｏｏｔｈにより、有線接続を使用時は、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  Ｓｔａｎｄａｒｄ  Ｂｕｓ  Ｉｎｔｅｒｆａｃｅ）、ＵＳＢ（Ｕｎｉｖｅｒｓａｌ  Ｓｅｒｉａｌ  Ｂｕｓ）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）、ＩＤＥ（Ｉｎｔｅｇｒａｔｅｄ  Ｄｅｖｉｃｅ  Ｅｌｅｃｔｒｏｎｉｃｓ）及びＳＣＳＩ（Ｓｍａｌｌ  Ｃｏｍｐｕｔｅｒ  Ｓｔａｎｄａｒｄ  Ｉｎｔｅｒｆａｃｅ）による。
【００１５】
但し、上記に説明したインターフェイス１４は、有線接続及び無線接続時の推奨される実施形態の構造であるに過ぎず、本考案の範囲を上記に限定するものではなく、マイクロプロセッサー１２と主端末２間を授受する信号転送を可能とするインターフェイス１４であれば格別の制約はない。
【００１６】
上述の携帯式記憶装置１の電源供給ユニット１５は、マンガン電池、アルカリ電池、ニッケル電池及びリチウム電池を使用可能である。
【００１７】
図１，２に示すように、本考案はボタン操作時、下記のようなステップになる。
100.携帯式記憶装置１を伝送インターフェイス１４を介し主端末２と接続開始。
101.携帯式記憶装置１は、ロック状態でボタン操作によるパスワードの入力を要求。    
102.複数ボタンユニット１１入力により発生する入力信号をマイクロプロセッサー１    ２へ伝達。
103.マイクロプロセッサー１２にて入力信号の正否判断、正ならばステップ104へ、    否ならばステップ101へ進行。
104.携帯式記憶装置１はアンロック状態にてメモリー１３はデータの取込み可能。
105.マイクロプロセッサー１２は、ボタン１１による信号入力の有無探索を継続し、    入力信号確認時にステップ106へ進行。
106.マイクロプロセッサー１２は入力信号を対応するキーボード信号へ変換、インタ    ーフェイス１４を介しキーボード信号を主端末へ転送。
107.主端末２にてキーボードと同形態の入力信号を受信、対応する文字の表示及び動    作の実行。
108.携帯式記憶装置１の使用終了可否選択、可ならばステップ109へ、否ならばステ    ップ105へ進行。
109.終了、携帯式記憶装置１はロック状態を回復、主端末２との接続を終了
【００１８】
上記のステップを実行開始時は、携帯式記憶装置１はロック状態をなし、メモリー１３は主端末２にて読み取り不可の状態であり、複数ボタンユニット１１の操作により入力信号をマイクロプロセッサー１２へ転送が必要とされ、マイクロプロセッサー１２による入力信号の正否確認にて、正しいと判断された場合に、携帯式記憶装置１のロックを解除し、主端末２は、インターフェイス１４とマイクロプロセッサー１２を介してメモリー１３へファイル及びデータの読み書きが可能となる。
【００１９】
携帯式記憶装置１は、アンロック状態時、使用者はプッシュボタン方式により複数ボタンユニット１１の操作で対応する信号を入力し、マイクロプロセッサー１２は入力された信号を対応するキーボード信号へ変換し、インターフェイス１４を介し、主端末２に転送し、対応する文字を表示及び動作を実行し、例としてボタン１１が０〜９の数字ボタンの場合、使用者がボタンを押した後、対応する数字信号が入力され、マイクロプロセッサー１２にて入力信号を対応するキーボード信号へ変換され、主端末２へ伝達された後、主端末は表示装置へ０〜９を表示及び対応するプログラムを実行する。
但し、上記に説明した複数ボタンユニット１１にて発生する入力信号の形態は、本考案の範囲を上記に限定することなく、類似の形態も本考案の範囲とする。
【００２０】
図３に示すように、本考案のメモリー１３内部には制御プログラム１３１を設けてなり、携帯式記憶装置１はインターフェイス１４を介して主端末２へ接続後、複数ボタンユニット１１によりプッシュボタン方式にて入力される対応する入力信号をマイクロプロセッサー１２へ伝達し、マイクロプロセッサー１２はメモリー１３のロック制御を解除し、メモリー１３のロック解除後、制御プログラム１３１を自動実行及び主端末へ駐在させ、主端末に駐在する制御プログラム２１はインターフェイス１４を介し入力信号の有無の探索を継続させてなり、メモリー１３のロック解除後、複数ボタンユニット１１はプッシュボタン方式による信号入力を持続し、入力信号は、マイクロプロセッサー１２とインターフェイス１４を経由して主端末２へ伝達され、且つ主端末２の制御プログラム２１にて受信すると共に対応するキーボード信号へ変換され、主端末２にて文字表示及び動作の実行がなされ、複数ボタンユニット１１がＡ〜Ｚの英文字ボタンの場合、使用者がボタンを押した後、対応する英文字信号が入力され、主端末２へ伝達された後、主端末２の制御プログラム２１は受信すると共にキーボード信号へ変換し、主端末２は表示装置へＡ〜Ｚの英文字を表示、及び対応するプログラムを実行する。但し、上記に説明した複数ボタンユニット１１にて発生する入力信号の型態は、本考案の範囲を上記に限定することなく、類似の型態も本考案の範囲とする。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２２】
【図１】本考案の工程図である。
【図２】本考案のフロー図である。
【図３】本考案の実例工程図である。
【符号の説明】
【００２３】
１ 携帯式記憶装置
１１ 複数ボタンユニット
１２ マイクロプロセッサー
１３ メモリー
１３１ 制御プログラム
１４ 伝送インターフェイス
１５ 電源ユニット
２ 主端末
２１ 制御プログラム
【図１】
0003118162.tif 000003
【図２】
0003118162.tif 000004
【図３】
0003118162.tif 000005